(57)【要約】      （修正有）【課題】着座の姿勢において、脚力や背筋力等により発揮できる力を効率的にペダルに注ぐことができる、自転車を効率的にペダリングするための装具を提供する。【解決手段】運転者が着用する帯状ベルトで構成され肩周囲部と腰周囲部に長さを調整するためのバックルを有し、前面に牽引具取付用環を備える胴着様のハーネス１と、ハーネスの牽引具取付用環に折り返して使用する帯状で長さ調整できるためのバックルを有し、下端に牽引具接続器３に連結する金属製フック２ａを備える牽引具２を備え、自転車フレームに取り付ける管状の部品と牽引具の金属製フックと連結するための輪状の部品で構成され、ハーネスと牽引具を介して連結する牽引具接続器を備える。【選択図】図１
0003230217.tif 000002
【実用新案登録請求の範囲】
【請求項１】
自転車と運転者を必要に応じて連結するための、運転者が着用して背中、肩、腰部でペダリングによる反作用を受け止めるハーネス、ハーネスに反作用を伝達する牽引具、牽引具を連結する牽引具取付器を備えることを特徴とする、自転車を効率的にペダリングするための装具。
【請求項２】
請求項１のハーネスと牽引具を一体化した牽引具付きハーネス。
【考案の詳細な説明】
【技術分野】
【０００１】  本考案は、自転車運転者が装着するハーネス、自転車本体に取り付ける牽引具接続器、ハーネスと牽引具接続器を連結する牽引具に関するものである。
【背景技術】
【０００２】  自転車を運転する際、ペダルを踏み下ろし回転させる（以下この操作をペダリングと表す）が、自転車の推進に伴う物理的抵抗がペダルから運転者の足へ反作用として返ってくる。踏み下ろす力は主に脚力に依り、それは専ら体重に支えられている。登り坂を上る場合や急加速を行う場合等の強い反作用に対抗するために、図１１．のように自転車のサドルから腰を上げ全体重をペダルにかけ踏み下ろす。その際は腕で上体をハンドルに引き付ける動作などを行い体勢を安定させる操作が一般的である。このペダリング動作は一般的に「立ち漕ぎ」とか「ダンシング」と称される。
【先行技術文献】
【非特許文献】
【０００３】
【非特許文献１】「バイシクルライディングブック」、株式会社ベースボールマガジン社、２０１２年９０月２０日、Ｐ５７〜５９
【考案の概要】
【考案が解決しようとする課題】
【０００４】  立ち漕ぎは重心が高くなり安定した運転姿勢を保つのが難しい、またサドルから立ち上がるため脚部に負荷がかかる、さらに手でハンドルを強く持ち上体を支える必要も生じ体力消耗が大きい。このような操作を行ってもペダルを踏み下ろす力が運転者の体重を超えることは困難である。
【課題を解決するための手段】
【０００５】  本考案は、牽引具を取り付けたハーネスを装着した運転者と自転車フレームに牽引具接続器を取り付けた自転車を適切な距離で連結することにより、ペダルを踏み下ろす際に発生する反作用で上方に移動しようとする身体を繋ぎ止め、脚力や背筋力等により発揮できる力を効率的にペダルに注ぐことが着座の姿勢において実施できるものである。
【考案の効果】
【０００６】  本考案により、登り坂を上る場合や急加速を行う場合等には自転車本体と運転者のハーネスを牽引具で連結することで、図９のように脚部や背筋等により発揮できる力を効率的に安定した姿勢でペダリングに注ぐことが可能になる。一般的に脚力や背筋力は自重を超えるほど強いため立ち漕ぎでは実現できない力強いペダリングが可能になる。例えるなら図１０のように床に座り重い物を脚で押しやる場合、押しやる対象物からは反作用が生じ身体が反対方向に押しやられてしまい、身体が発揮する力は部分的にしか対象物に作用しない。背後に堅固な壁が存在する場合は背にした壁から押しやる対象物より発生した反作用と同等の力を得ることが出来るため、身体が押しやられることが無く、身体が発揮する力が無駄なく対象物に作用することになる。
【図面の簡単な説明】
【０００７】
【図１】本考案の一実施例を示す斜視図である。
【図２】本考案のハーネス具の一実施例を示す正面図である。
【図３】本考案の牽引具の一実施例を示す正面図、側面図である。
【図４】本牽引具を取り付けた本ハーネスを装着した斜視図である。
【図５】本考案の牽引具接続器の一実施例を示す斜視図である。
【図６】本牽引具接続器を一般的な自転車フレームに取り付けた一実施例を示す斜視図である。
【図７】本牽引具接続器と牽引具を接続する一実施例を示す斜視図である。
【図８】本牽引具接続器と牽引具の接続を解消する一実施例を示す斜視図である。
【図９】本考案で運転者と自転車を連結してペダリングする一実施例を示すイメージ画である。
【図１０】脚で物を押しやる際に発生する反作用を示すイメージ画である。
【図１１】従来の強い力でペダリングする際に行う「立ち漕ぎ」を示すイメージ画である。
【考案を実施するための形態】
【０００８】  ハーネスは、全面に牽引具を取り付けるための環を備えており、牽引具にかかる強い力を肩、背中、腰部全体で受け止められるように、その三箇所に幅広い帯状ベルトを回した構造とする。そのベルトは運転者の体格に合わせて長さが調整できる構造を肩周囲部と腰周囲部に備える。
【０００９】  牽引具はハーネスと牽引具接続器をつなぎ強い張力に耐え得る強度を持った素材により構成される帯状の構造であり、運転者の体格や自転車のフレーム構造に合わせて適切な長さに調整できる機能を持つ。下端には牽引具接続器に接続するフックを備えている。フックは安全のために素早く連結状態を解消できる形態である。一例として、張力がかかっていない場合は自重で接続を解消する方向に回転するように重心を配置した形態である。
【００１０】  牽引具接続器は自転車フレームに取り付けられる管状の部品と牽引具の金属フックを受ける輪状の部品で構成する。輪状の部品はトップチューブ上部に突き出るので、安全性を考慮し布のような柔軟性を持った素材で構成する。
【００１１】  ハーネス、牽引具、牽引具接続器全てにおいて３００ｋｇ程度以上の引っ張りに耐え得る強度を備える構造とする。
【実施例】
【００１２】  以下、添付図面に従って一実施例を説明する。１は耐久性の高いナイロン繊維等の素材にて作成されるハーネスで、１ａの牽引具取付用環を備えている。【００１３】  ２は耐久性の高いナイロン繊維やダイニーマ繊維等の帯状の素材により作成される牽引具で、ベルトバックル様の長さ調節可能な機能を持ち、２ａのフックを備えている。【００１４】  ３は自転車フレームに取り付ける牽引具接続器で、３ａの耐久性の高いナイロン繊維やダイニーマ繊維等の帯状の素材により作成される輪状部品と、３ｂの金属や耐久性の高いプラスチック等の素材で作成され螺子等で締め付け可能な管状部品で構成され、両部品は強度高く結合されている。【００１５】  運転者は２を取り付けた１を装着し、４の自転車フレームに３を取り付けた自転車に乗り運転操作をする。２の長さは着座状態で２ａを３ａに引っ掛けた状態で弛みが無い長さにあらかじめ調整しておく。登り坂や急加速などの強い力でペダリングを行う場合には、図７のように２と３を連結しペダルを踏み下げる。ペダルを踏み下ろす際に発生する反作用で上方に移動しようとする身体は３，２，１により繋ぎ止められるため、腕によるハンドルを引き付ける操作をしなくても脚力や背筋力等により発揮できる力を無駄なくペダリングに注ぐことが着座状態で実施できる。【００１６】  強い力でペダルを踏み下ろす際に発生する反作用は３，２により腹部下部から鉛直方向に作用し、１により両肩、背中、腰部全体に力を分散されるため運転者の腰椎等にかかる負担が軽減される。【００１７】  連結を解除する場合は、上体を数ｃｍ伏せる動作により２ａにかかる張力が緩みフックが自重により回転し３ａとの連結状態を解消することができる。
【符号の説明】
【００１８】１    本考案のハーネス
１ａ  本ハーネスの牽引具取付用環
２    本考案の牽引具
２ａ  本牽引具のフック部
３    本考案の牽引具接続器
３ａ  本牽引具接続器の輪状部
３ｂ  本牽引具接続器の管状部
４    一般的な自転車フレーム
５    自転車のペダルを踏む力のベクトル
６    自転車のペダルから発生する反作用のベクトル
７    本考案の装具により得られる符号６に拮抗する力のベクトル
８    脚で物を押しやる力のベクトル
９    物から発生する反作用のベクトル
１０  背後の壁により得られる符号９に拮抗する力のベクトル
【図１】
0003230217.tif 000003
【図２】
0003230217.tif 000004
【図３】
0003230217.tif 000005
【図４】
0003230217.tif 000006
【図５】
0003230217.tif 000007
【図６】
0003230217.tif 000008
【図７】
0003230217.tif 000009
【図８】
0003230217.tif 000010
【図９】
0003230217.tif 000011
【図１０】
0003230217.tif 000012
【図１１】
0003230217.tif 000013
【手続補正書】
【提出日】令和2年6月30日(2020.6.30)
【手続補正１】
【補正対象書類名】実用新案登録請求の範囲
【補正対象項目名】全文
【補正方法】変更
【補正の内容】
【実用新案登録請求の範囲】
【請求項１】
運転者が着用する帯状ベルトで構成され肩周囲部と腰周囲部に長さを調整できる構造があり前面に牽引具取付用環を備える胴着様のハーネス、前記ハーネスの牽引具取付用環に折り返して使用する帯状で長さ調整できる構造を持ち下端に牽引具接続器に連結する金属製フックを備える牽引具、自転車フレームに取り付ける管状の部品と前記牽引具の金属製フックと連結するための輪状の部品で構成される牽引具接続器を備えることを特徴とする、自転車を効率的にペダリングするための装具。
【手続補正書】
【提出日】令和2年9月17日(2020.9.17)
【手続補正１】
【補正対象書類名】実用新案登録請求の範囲
【補正対象項目名】全文
【補正方法】変更
【補正の内容】
【実用新案登録請求の範囲】
【請求項１】
運転者が着用する帯状ベルトで構成され肩周囲部と腰周囲部に長さを調整するためのバックルを有し、前面に牽引具取付用環を備える胴着様のハーネス、前記ハーネスの牽引具取付用環に折り返して使用する帯状で長さ調整できるためのバックルを有し、下端に牽引具接続器に連結する金属製フックを備える牽引具、自転車フレームに取り付ける管状の部品と前記牽引具の金属製フックと連結するための輪状の部品で構成され、前記ハーネスと前記牽引具を介して連結する牽引具接続器を備えることを特徴とする、自転車を効率的にペダリングするための装具。